(57)【要約】  諸実施形態は、ディスプレイレンズの1つまたは複数の縁部に近接して沿うディスプレイレンズの面の一部分を照明するためのシステム、方法、および装置を提供する。ディスプレイレンズは、4つの縁部および面表面を有する透明レンズを含む。少なくとも1つの縁部は、レンズ内の光を面表面から外に反射させるように構成されている面表面に対する角度を含む。他の多くの態様が可能である。
2020518941.tif 000002
【特許請求の範囲】
【請求項１】
ディスプレイの縁部分を照明する方法であって、
反射性材料によりコーティングされている角度の付いた第1の縁部を有するディスプレイレンズを用意するステップと、
光源からの光を前記角度の付いた第1の縁部の反対側の前記ディスプレイレンズの第2の縁部に向けるステップと、
前記角度の付いた第1の縁部から前記ディスプレイレンズの面の縁部分の外に反射させるように、前記ディスプレイレンズを通して前記光を透過させるステップと
を含む、方法。
【請求項２】
角度の付いた第1の縁部を有するディスプレイレンズを前記用意するステップが、前記ディスプレイレンズの前記面の側縁部分から外に光を反射させるように構成されている合成角度を有する側縁部を備えた前記ディスプレイレンズを用意するステップを含む、請求項1に記載の方法。
【請求項３】
ディスプレイレンズを前記用意するステップは、前記第2の縁部が2つの部分に二等分された前記ディスプレイレンズを用意するステップを含み、
第1の部分が、前記ディスプレイレンズを通過する一部の光を前記角度の付いた第1の縁部に反射させることを可能にし、
第2の部分が、一部の光を前記ディスプレイレンズの前記面から外に反射させる、
請求項1に記載の方法。
【請求項４】
光源からの光を前記向けるステップが、着色光を提供するステップを含む、請求項1に記載の方法。
【請求項５】
着色光を前記提供するステップが、前記ディスプレイにおいて表示される情報状況に対応する着色光を提供するステップを含む、請求項4に記載の方法。
【請求項６】
前記ディスプレイにおいて表示される前記情報状況に対応する着色光を前記提供するステップが、
前記ディスプレイにおいて表示される前記情報の値が特定の閾値に達した場合、第1の色を提供するステップと、
前記ディスプレイにおいて表示される前記情報の値が特定の閾値を下回った場合、前記第1の色とは異なる第2の色を提供するステップと
を含む、請求項5に記載の方法。
【請求項７】
4つの縁部および面表面を有する透明レンズを備えるディスプレイレンズであって、第1の縁部が、前記レンズ内の光を前記面表面から外に反射させるように構成されている前記面表面に対する角度を含む、ディスプレイレンズ。
【請求項８】
前記第1の縁部が、反射性コーティングを含む、請求項7に記載のディスプレイレンズ。
【請求項９】
前記第1の縁部の反対側に配設されている第2の縁部は、光が前記レンズ内に入ることを可能にするように構成されている前記面表面に対する角度を含む、請求項7に記載のディスプレイレンズ。
【請求項１０】
前記第2の縁部に隣接して配設されている第3の縁部が、前記レンズ内の光を前記面表面から外に反射させるように構成されている前記面表面に対する合成角度を含む、請求項9に記載のディスプレイレンズ。
【請求項１１】
前記第2の縁部に隣接して前記第3の縁部の反対側に配設されている第4の縁部が、前記レンズ内の光を前記面表面から外に反射させるように構成されている前記面表面に対する合成角度を含む、請求項10に記載のディスプレイレンズ。
【請求項１２】
前記第3の縁部および前記第4の縁部が、反射性コーティングを含む、請求項11に記載のディスプレイレンズ。
【請求項１３】
前記第2の縁部は、光が前記レンズ内に入ることを可能にするように構成されている前記面表面に対する前記角度を含む第1の部分と、第2の部分であって、当該第2の部分への入射光を前記面表面から外に反射させるようになされている、第2の部分とに二等分されている、請求項11に記載のディスプレイレンズ。
【請求項１４】
ディスプレイレンズを含む電子ディスプレイと、
前記ディスプレイレンズに隣接して配設され、前記ディスプレイレンズの第1の縁部を照明するように構成されている光源とを備え、
前記ディスプレイレンズが、4つの縁部および面表面を有する透明レンズを含み、
第2の縁部が、前記ディスプレイレンズ内の光を前記面表面から外に反射させるように構成されている前記面表面に対する角度を含む、
検体モニタリングデバイス。
【請求項１５】
前記ディスプレイレンズの前記第2の縁部が、反射性コーティングを含む、請求項14に記載の検体モニタリングデバイス。
【請求項１６】
前記第1の縁部は、前記第2の縁部の反対側に配設され、前記光源からの光が前記ディスプレイレンズ内に入ることを可能にするように構成されている前記面表面に対する角度を含む、請求項14に記載の検体モニタリングデバイス。
【請求項１７】
前記第2の縁部に隣接して配設されている前記ディスプレイレンズの第3の縁部が、前記レンズ内の光を前記面表面から外に反射させるように構成されている前記面表面に対する合成角度を含み、
前記第2の縁部に隣接して前記第3の縁部の反対側に配設されている前記ディスプレイレンズの第4の縁部が、前記レンズ内の光を前記面表面から外に反射させるように構成されている前記面表面に対する合成角度を含む、
請求項16に記載の検体モニタリングデバイス。
【請求項１８】
前記ディスプレイレンズの前記第3の縁部および前記第4の縁部が、反射性コーティングを含む、請求項17に記載の検体モニタリングデバイス。
【請求項１９】
前記電子ディスプレイにおいて情報を表示するように、および前記光源を制御して前記情報の状況に対応する光色を選択するように動作するプロセッサをさらに含む、請求項14に記載の検体モニタリングデバイス。
【請求項２０】
前記第1の縁部は、光が前記ディスプレイレンズ内に入ることを可能にするように構成されている前記面表面に対する前記角度を含む第1の部分と、第2の部分であって、当該第2の部分への入射光を前記ディスプレイレンズの前記面表面から外に反射させるようになされている、第2の部分とに二等分されている、請求項17に記載の検体モニタリングデバイス。
【発明の詳細な説明】
【技術分野】
【０００１】
これは、2016年12月2日出願の米国特許仮出願第62/429,725号に対する優先権を主張するものであり、同米国特許仮出願は、すべての目的でその全体が参照により本明細書に組み込まれている。
【０００２】
本発明の実施形態は、検体モニタリングデバイス(たとえば、血中グルコース計)などの電子デバイスのディスプレイレンズに関し、より詳細には、ディスプレイレンズの1つまたは複数の縁部に近接して沿うディスプレイレンズの面の一部分を照明するシステム、方法、および装置に関する。
【背景技術】
【０００３】
できる限り安価に設計されているディスプレイ画面を有する電子デバイスは、通常、カラーディスプレイをもたない。代わりに、「白黒」、すなわちモノクロの液晶ディスプレイ(LCD)が使用されている。しかしながら、色の対比は、有用性を高め、情報をより明瞭に伝えるのに役立つ。安価な電子デバイスのインターフェースに色を含めようとする以前の試みは、一般には情報ディスプレイ画面とは切り離されている個別の着色LED(発光ダイオード)に頼ってきた。しかしながら残念なことに、使用者は、着色LEDをディスプレイ上に提示されている情報と関連付けることが容易にはできない。したがって、電子デバイスのディスプレイ画面内に色の対比を安価に促進し、取り入れるための改良された方法ならびに装置が必要である。
【発明の概要】
【課題を解決するための手段】
【０００４】
いくつかの実施形態では、ディスプレイレンズの1つまたは複数の縁部に近接して沿うディスプレイレンズの面の一部分を照明するための方法が提供される。この方法は、反射性材料によりコーティングされている角度の付いた縁部を有するディスプレイレンズを用意するステップと、光源からの光を角度の付いた縁部の反対側のディスプレイレンズの縁部に向けるステップと、角度の付いた縁部からディスプレイレンズの面の縁部分の外に反射させるように、ディスプレイレンズを通して光を透過させるステップとを含む。
【０００５】
他の実施形態では、電子デバイスのディスプレイレンズが提供される。ディスプレイレンズは、4つの縁部および面表面を有する透明レンズを含む。少なくとも1つの縁部は、レンズ内の光を面表面から外に反射させるように構成されている面表面に対する角度を含む。
【０００６】
さらなる他の実施形態では、検体モニタリングデバイスが提供される。この検体モニタリングデバイスは、ディスプレイレンズを含む電子ディスプレイと、ディスプレイレンズに隣接して配設され、ディスプレイレンズの第1の縁部を照明するように構成されている光源とを含む。ディスプレイレンズは、4つの縁部および面表面を有する透明レンズを含む。第2の縁部は、レンズ内の光を面表面から外に反射させるように構成されている面表面に対する角度を含む。
【０００７】
他の多くの態様が、本発明のこれらおよび他の態様に従って提供される。本発明の他の特徴および態様は、次の詳細な説明、別記の特許請求の範囲、および添付の図面から、より完全に明らかになろう。
【図面の簡単な説明】
【０００８】
【図１】本発明の実施形態による、ディスプレイレンズの上部前面縁部分が照明されている一例示的電子デバイス(たとえば、血中グルコース計などの検体モニタリングデバイス)を示す略図である。
【図２】本発明の実施形態による、ディスプレイの上部前面縁部分が照明されているディスプレイレンズの横断面図である。
【図３】本発明の実施形態によるディスプレイレンズの一例の前面図を示す略図である。
【図４】本発明の実施形態によるディスプレイレンズの一例を示す等角図である。
【図５Ａ】本発明の実施形態によるディスプレイレンズの一例の前面の図である。
【図５Ｂ】本発明の実施形態によるディスプレイレンズの一例の底部側縁部の図である。
【図５Ｃ】本発明の実施形態によるディスプレイレンズの一例の左側縁部の図である。
【図６】本発明の実施形態による図5A〜図5Cの例示的ディスプレイレンズを示す等角図である。
【図７Ａ】本発明の実施形態によるディスプレイレンズの一例の前面の図である。
【図７Ｂ】本発明の実施形態によるディスプレイレンズの一例の底部側縁部の図である。
【図７Ｃ】本発明の実施形態によるディスプレイレンズの一例の左側縁部の図である。
【図８】本発明の実施形態による図7A〜図7Cの例示的ディスプレイレンズを示す等角図である。
【図９】本発明の実施形態によるディスプレイレンズの面の縁部分を照明する一例示的方法を示す流れ図である。
【発明を実施するための形態】
【０００９】
本発明の実施形態の原理の理解を促す目的で、次に、図面に示されている例を参照し、具体的な用語を用いてこれらについて説明する。しかしながら、それによって本発明の範囲を限定することを意図しておらず、本発明が関係する当業者なら通常思い付くように、例示の実施形態におけるいずれの代替形態およびさらなる修正形態、ならびにその中に例示されているような本発明の原理のさらなるいずれの適用例も本明細書において企図されていることは理解されよう。
【００１０】
本発明の実施形態は、検体モニタリングデバイス(たとえば、血中グルコース計)などの電子デバイスのディスプレイ内に色および光を簡単かつ安価に組み込むことを可能にする、ディスプレイレンズのためのシステム、装置、ならびに方法を提供する。ディスプレイ画面とは切り離されており、ディスプレイ画面において伝えられる情報と関連付けることが容易にはできない個別のLEDを用いるのではなく、本発明の実施形態は、検体モニタリングデバイス(たとえば、血中グルコース計(BGM:blood glucose meter))などの電子デバイスのディスプレイ画面の前面の縁部分から着色光を投影する安価で費用対効果の高い手段を提供する。したがって、たとえば、BGMが、危険なほど高いまたは低い血中グルコース値(たとえば、既定の閾値を上回るまたは下回る)を表す数値を表示している場合、ディスプレイの前面の縁部分は、赤色でディスプレイをフレーム表現する(framing)ことによって、読取値の切迫した重症度および深刻度を示す赤色光を投影することができる。数値が所望の目標範囲内にある場合、すべてが良好であることを示す緑色光がディスプレイの前面の縁部分から投影され得る。数値が目標範囲外にあるが、重篤な、またはすぐに危険な範囲に入るとまではいかない場合、使用者が用心すべきであることを示す黄色光がディスプレイの前面の縁部分から投影され得る。上述の色の例は、可能な構成を単に例示しているにすぎない。他の数多くの色および意味内容が、ディスプレイ画面において提示される様々な値または他の情報に割り当てられる場合も、または関連付けられる場合もあることを理解すべきである。
【００１１】
本発明の実施形態は、ディスプレイレンズの側縁部内に向けられた光を前面の1つまたは複数の縁部分に沿ってディスプレイレンズの前面から外に反射させるように構成されている角度の付いた、または面取りした縁部を備えた画面ディスプレイレンズを提供する。いくつかの実施形態では、角度の付いた縁部は、光の反射を容易にするのに役立つ反射性の薄膜またはコーティングを含むことができる。いくつかの実施形態では、1つの3色LEDまたは複数の単色LEDなどの光源を使用して、ディスプレイを照明することができる。いくつかの実施形態では、光の色は、たとえば、重篤な高い閾値(たとえば、高血糖)の値を超える、または重篤な低い閾値(たとえば、低血糖)の値を下回る血中グルコース値などの切迫した状態を示す情報(たとえば、血中グルコース値などの数値)に基づいて表示するように選択され得る。異なる色を使用して、異なる閾値の交差または状況を示すことができる。他の色を使用して、表示された値が許容可能なまたは所望の範囲内にあることを示すことができる。
【００１２】
本発明の実施形態が、図1に示されている例示的なシステム100に示されている。いくつかの実施形態では、検体モニタリングデバイス(たとえば、血中グルコース計102)などの電子デバイスが、複数の入力ボタン104と、血中グルコースセンサストリップ108を受け入れるようになされているポート106と、使用者に情報を表示するためのディスプレイ画面110とを含むことができる。ディスプレイ画面110は、ディスプレイ画面110の前面から外に着色光を投影するようになされている縁部分112を含むことができる。ディスプレイ画面110はまた、テキストおよびグラフィックスなどの情報表示を生成する従来の電子回路(たとえば、LCD回路機構、プロセッサ、メモリなど)を含む。
【００１３】
図2は、図1の検体モニタリングデバイス(たとえば、血中グルコース計102)のディスプレイ画面110のディスプレイレンズ200の中心横断面図である。図3は、例示的なディスプレイレンズ200の拡大平面図であり、図4は、同じディスプレイレンズ200の等角図である。ディスプレイレンズ200は、下層のLCD回路機構のための透明ガラスまたはプラスチック保護カバーとすることができる。他の透明な材料がディスプレイレンズ200に使用されてもよい。いくつかの実施形態では、タッチ画面および/または触覚機能が、ディスプレイレンズ200とともに実装されてもよい。
【００１４】
図2および図4に示されているように、光源202が、着色光(たとえば、図4に破線として表されている光線)をディスプレイレンズ200の側縁部204内に向ける。光は、ディスプレイレンズ200内で進み、ディスプレイレンズ200は、光がディスプレイレンズ200の角度の付いた側縁部206に当たるまでディスプレイレンズ200内に光を含んでいる光ガイドとして機能する。いくつかの実施形態では、図4に示されているような単一の光源202が、側縁部204の中心に位置決めされ、光が、光源202から外側に広がる。他の実施形態では、縁部204に沿って配設された複数の光源が使用されてもよい。
【００１５】
図2および図4において光線を表す複数の矢印によって示されているように、角度の付いた側縁部206(たとえば、光線を上向きに反射させるように示されている側縁部)は、ディスプレイレンズ200の前面表面208の縁部分112から外に光を反射させるように構成されている。いくつかの実施形態では、角度の付いた側縁部206は、アルミニウム、銀などの反射性材料、または光の反射を増強する他の同様の材料からなる薄膜または層によりコーティングされている。前面表面208に対する角度の付いた側縁部206の角度θは、約45度とすることができるが、約30度〜約60度の範囲とすることができる。他の角度も可能である。角度の付いた側縁部206の角度は、傾斜の付いた縁部が形成されるように、ディスプレイレンズ200の隅部を切り落とすことによって形成され得る。
【００１６】
いくつかの実施形態では、角度の付いた側縁部206は、縁部の傾斜が凸状かまたは凹状かのいずれかであるように湾曲していてよい。加えて、図3および図4において最も明瞭にわかるように、角度の付いた側縁部206の角度は、照明された縁部分112が三日月形状になるように、ディスプレイレンズ200の隅部からディスプレイレンズ200の中心まで異なっていてよい。他の形状も可能である。たとえば、角度の付いた側縁部206は、楕円形状であるように傾斜が付けられていてもよい。いくつかの実施形態では、所望の任意の形状の光がディスプレイレンズ200の前面表面208の縁部分112から外に反射し得るように、角度の付いた側縁部206の一部分のみに反射性コーティングを施してもよい。
【００１７】
いくつかの実施形態では、ディスプレイレンズ200は、縦方向寸法、横方向寸法、またはその両方の寸法に湾曲していてもよい。湾曲は、凹状であっても、凸状であっても、および/または複合状であってもよい。いくつかの実施形態では、角度の付いた切断部が、ディスプレイレンズ200の前面表面208と裏表面210のいずれかまたは両方の中に作製されて、ディスプレイレンズ200の所望の任意の部分から外に光を反射させやすくすることができる。たとえば、数値に下線を引いた赤色光を点滅することにより、ディスプレイ110の中心に表示される数値に注意を向けさせることができるのが望ましい場合、ディスプレイレンズ200の裏表面210の中に約45度に角度の付いた切断部が、数値が表示されることになるところの下の場所(たとえば、下線)に作製され得る。反射性コーティングを切断表面に施してもよい。そのような実施形態では、ディスプレイレンズ200の中を横方向に移動する光は、角度の付いた切断部によって前面表面208から外に上向きに反射することになる。
【００１８】
いくつかの実施形態では、ディスプレイレンズ200の前面表面208および裏表面210は、約60度未満の入射角による光のみをディスプレイレンズ200から逃すことを可能にするフッ化マグネシウムなどの反射防止材料によりコーティングされている。いくつかの実施形態では、光は、約60度超および約120度未満の表面に対する入射角でのみ光を逃す表面上のコーティングを使用して、ディスプレイレンズ内に捕捉される。
【００１９】
次に、図5A〜図5Cおよび図6を参照すると、ディスプレイレンズ500の別の実施形態が示されている。図5A〜図5Cおよび図6は、それぞれ、ディスプレイレンズ500の一例の前面の図、底部側縁部の図、左側縁部の図、および等角図であり、ディスプレイレンズ500は、3つの縁部分、すなわち、左側縁部分504、上部縁部分506、および右側縁部分508に沿って前面502から外に光を反射させることができる。
【００２０】
上部、左、右、および底部などの用語が、本明細書および特許請求の範囲全体を通じて使用されているが、これらの用語が、単に実施形態の特徴の相対位置を明確にすることを意図しているだけにすぎず、絶対位置として意図するものではないことに留意されたい。したがって、代替の実施形態では、相対位置は、実施可能なように、反転または回転されてもよい。たとえば、光は、ディスプレイレンズの任意の側縁部(たとえば、上部、底部、左、または右)からディスプレイレンズ内に光がディスプレイレンズに入る縁部に対して他の側縁部が適切に角度が付けられる限り導入され得ることを当業者は認識するであろう。
【００２１】
いくつかの実施形態では、光は、光源(図示していないが、同様の例についての図4の光源202参照)から底部側縁部510に入り、前面502から外に反射する。たとえば、光は、前面502の左側縁部分504から外に角度の付いた左側縁部512に反射する。図5Bおよび図5Cに示されているように、角度の付いた左側縁部512が角度αおよび角度βによって示されているように前面502に対して角度が付けられていることに留意されたい。いくつかの実施形態では、角度αは、レンズの厚さおよび長さに依存し得る。たとえば、いくつかの実施形態では、
【００２２】
【数１】
2020518941.tif 000003
【００２３】
ただし、tは、レンズ厚であり、lは、前面502の、底部側縁部510から上部側縁部518までの長さである。いくつかの実施形態では、角度βは、約45度、またはいくつかの実施形態では、約30度〜約60度の範囲内とすることができる。他の角度も可能である。左側縁部514が、ディスプレイレンズ500の前面502にほぼ垂直であり、したがって、前面502から外に光を反射させるのではなく、ディスプレイレンズ500内に光を反射し戻すことができることにも留意されたい。
【００２４】
前面502に対して角度が付けられることに加えて、角度の付いた左側縁部512はまた、左側縁部514に対して角度φで底部側縁部510から上部側縁部518へと内向きに角度をなす。いくつかの実施形態では、角度φは、約10度、またはいくつかの実施形態では、約5度〜約12度の範囲内とすることができる。他の角度も可能である。したがって、角度の付いた左側縁部512は、概して上部側縁部518の方に向けられた底部側縁部510から来た光を前面502の左側縁部分504の外に反射させることを可能にする合成角度(compound angle)で配設される。
【００２５】
同様に、角度の付いた右側縁部516は、角度の付いた左側縁部512を鏡映し、概して上部側縁部518の方に向けられた底部側縁部510から来た光を前面502の右側縁部分508の外に反射させることを可能にする合成角度で配設される。
【００２６】
角度の付いた上部側縁部518は、前面502の上部縁部分506の外に光を反射させる。図5Cに示されているように、角度の付いた上部側縁部518は、角度θによって示されているように前面502に対して角度が付けられている。いくつかの実施形態では、角度θは、約45度、またはいくつかの実施形態では、約30度〜約60度の範囲内とすることができる。他の角度も可能である。
【００２７】
次に、図7A〜図7Cおよび図8を参照すると、ディスプレイレンズ700の別の実施形態が示されている。図7A〜図7Cおよび図8は、それぞれ、ディスプレイレンズ700の一例の前面の図、底部側縁部の図、左側縁部の図、および等角図であり、ディスプレイレンズ700は、4つの縁部分、すなわち、左側縁部分704、上部縁部分706、右側縁部分708、および底部縁部分720に沿って前面702から外に光を反射させることができる。
【００２８】
光は、光源(図示していないが、同様の例についての図4の光源202参照)から底部側縁部710に入り、前面702から外に反射する。たとえば、光は、前面702の左側縁部分704から外に角度の付いた左側縁部712に反射する。図7Bおよび図7Cに示されているように、角度の付いた左側縁部712が角度αおよび角度βによって示されているように前面702に対して角度が付けられていることに留意されたい。いくつかの実施形態では、角度αは、レンズの厚さおよび長さに依存し得る。たとえば、いくつかの実施形態では、
【００２９】
【数２】
2020518941.tif 000004
【００３０】
ただし、tは、レンズ厚であり、lは、前面702の、底部側縁部710から上部側縁部718までの長さである。いくつかの実施形態では、角度βは、約45度、またはいくつかの実施形態では、約30度〜約60度の範囲内とすることができる。他の角度も可能である。左側縁部714が、ディスプレイレンズ700の前面702にほぼ垂直であり、したがって、前面702から外に光を反射させるのではなく、ディスプレイレンズ700内に光を反射し戻すことができることにも留意されたい。
【００３１】
前面702に対して角度が付けられることに加えて、角度の付いた左側縁部712はまた、左側縁部714に対して角度φで底部側縁部710から上部側縁部718へと内向きに角度をなす。いくつかの実施形態では、角度φは、約10度、またはいくつかの実施形態では、約5度〜約12度の範囲内とすることができる。他の角度も可能である。したがって、角度の付いた左側縁部712は、概して上部側縁部718の方に向けられた底部側縁部710から来た光を前面702の左側縁部分704の外に反射させることを可能にする合成角度で配設される。
【００３２】
同様に、角度の付いた右側縁部716は、角度の付いた左側縁部712を鏡映し、概して上部側縁部718の方に向けられた底部側縁部710から来た光を前面702の右側縁部分708の外に反射させることを可能にする合成角度で配設される。
【００３３】
角度の付いた上部側縁部718は、前面702の上部縁部分706から外に光を反射させる。図7Cに示されているように、角度の付いた上部側縁部718は、角度θによって示されているように前面702に対して角度が付けられている。いくつかの実施形態では、角度θは、約45度、またはいくつかの実施形態では、約30度〜約60度の範囲内とすることができる。他の角度も可能である。
【００３４】
底部縁部分720から外に光を反射させるために、本発明の実施形態では、図7B、図7C、および図8に示されているように角度の付いた内部接合表面(angled internal interface surface)722が設けられる。底部側縁部710は、上側部分710Aと下側部分710Bとに水平方向に二等分されている。下側部分710Bへの入射光は、ディスプレイレンズ700の中に入って、上述したような角度の付いた左側縁部712、角度の付いた右側縁部716、および角度の付いた上部側縁部718によって前面702から外に反射する。しかしながら、上側部分710Aへの入射光は、角度の付いた内部接合表面722によって前面702の底部縁部分720から外に反射する。いくつかの実施形態では、角度の付いた内部接合表面722は、上側部分710Aとディスプレイレンズ700の残りの部分との間に角度εに配設された反射性薄膜によって形成され得る。いくつかの実施形態では、角度εは、約45度、またはいくつかの実施形態では、約30度〜約60の範囲内とすることができる。他の角度も可能である。代替として、上側部分710Aが、ディスプレイレンズ700の残りの部分を形成するのに使用されるクリア材料の屈折率とは異なる屈折率を有するクリア材料から形成されてもよい。代替として、ディスプレイレンズ700が、底部側縁部710の上部に沿って面取りされてもよく、それにより、面取り部内への入射光は、ディスプレイレンズ700の前面702から外に反射することになる。
【００３５】
いくつかの実施形態では、上側部分710Aおよび下側部分710Bの位置は、上側部分710Aへの入射光が、ディスプレイレンズ700内に入って、上述したような角度の付いた左側縁部712、角度の付いた右側縁部716、および角度の付いた上部側縁部718によって前面702から外に反射するように反転させてもよい。この反転の実施形態では、下側部分710Bへの入射光が、上述の角度の付いた内部接合表面722の形成に似た形で形成される角度の付いた内部接合表面によって前面720の底部縁部分720から外に反射する。
【００３６】
次に、図9を参照すると、本発明の実施形態によるディスプレイレンズの1つまたは複数の縁部分を照明する例示的な方法900が、流れ図で示されている。例示的な方法900は、反射性材料によりコーティングされている角度の付いた縁部を有するディスプレイレンズを用意するステップ(902)と、光源からの光を角度の付いた縁部の反対側のディスプレイレンズの縁部に向けるステップ(904)と、角度の付いた縁部からディスプレイレンズの面の縁部分の外に反射させるように、ディスプレイレンズを通して光を透過させるステップ(906)とを含む。いくつかの実施形態では、光源は、2つ以上の異なる色の光を放射するように動作可能な光源として具現化可能である。光は、点灯であっても、または点滅していてもよい。色および持続時間は、光源に、レンズディスプレイを通して表示されるデータの状況に対応する選択された色の光を放射させるようになされているプログラムの制御の下、プロセッサによって選択され得る。たとえば、いくつかの実施形態では、光の色および持続時間は、たとえば、重篤な高い閾値(たとえば、高血糖)の値を超える、または重篤な低い閾値(たとえば、低血糖)の値を下回る血中グルコース値などの切迫した状態を示す情報(たとえば、血中グルコース値などの数値)に基づいて選択され得る。異なる色および点滅パターンを使用して、異なる閾値の交差または状況を示すことができる。たとえば、一様の赤色光は、表示された血中グルコース値300 mg/dlが危険なほど高いことを示すのに使用され得、赤色点滅光は、表示された血中グルコース値600 mg/dlが非常に危険なほど高いことを示すのに使用され得る。他の色、点滅速度/パターンを使用して、表示された値が許容可能なまたは所望の範囲内にあることを示すことができる。たとえば、一様の緑色光は、70 mg/dlから130mg/dlの間に表示された血中グルコース値が心配ないことを示すのに使用され得る。
【００３７】
多くの実施形態について、本開示に説明し、例示目的のみで提示している。説明した実施形態は、いかなる意味においても限定的ではなく、限定であるように意図するものでもない。本発明は、本開示から容易に明らかであるように、多くの実施形態に幅広く適用可能である。開示された実施形態が、構造、論理、ソフトウェア、および電気的な修正形態など、様々な修正形態および変更形態とともに実践され得ることを当業者は認識するであろう。開示された実施形態の特定の特徴は、1つまたは複数の特定の図面を参照して説明され得るが、別段の明記がない限り、そのような特徴が、1つまたは複数の特定の実施形態または図面における使用法に限定されるものでないことを理解すべきである。
【００３８】
本開示は、すべての実施形態の文字通りの説明でも、すべての実施形態に存在しなければならない本発明の特徴の列挙でもない。
【００３９】
発明の名称は(本開示の最初のページの冒頭に記載されている)、開示された実施形態の範囲について、いかなる形にも限定的と解釈すべきではない。
【００４０】
「製品(product)」という用語は、別段の明記がない限り、35U.S.C.§101によって企図されているように、任意の機械、製造物および/または組成物を意味する。
【００４１】
各プロセス(方法、クラス挙動、アルゴリズムまたはその他と呼ばれるかどうかにかかわらず)は、本質的に1つまたは複数のステップを含み、そのため、プロセスの「ステップ(step)」または「複数のステップ(steps)」について言及するときにはすべて、「プロセス(process)」という用語または同様の用語の単なる列挙には固有の先行する根拠がある。したがって、プロセスの「ステップ(step)」または「複数のステップ(steps)」について特許請求の範囲において言及するときにはいずれも、十分な先行する根拠がある。
【００４２】
序数(「第1の(first)」、「第2の(second)」、および「第3の(third)」など)が用語の前に形容詞として使用されるとき、その序数は(別段の明記がない限り)、特定の機能を示して、たとえば、その特定の特徴を同じ用語または類似の用語によって説明されている別の特徴と区別するためだけに使用されるにすぎない。たとえば、「第1のウィジェット(first widget)」は、単に、たとえば「第2のウィジェット(second widget)」と区別するためだけにそのように名前が付けられることがある。したがって、「ウィジェット(widget)」という用語の前の序数「第1の」および「第2の」を単に使用しただけでは、2つのウィジェット間の他のいかなる関係性も示しておらず、同様にいずれかまたは両方のウィジェットの他のいかなる特徴も示していない。たとえば、「ウィジェット」という用語の前の序数「第1の」および「第2の」を単に使用しただけでは、(1)いずれかのウィジェットが、順序または位置において、いかなる他のウィジェットの前または後に来ることを示しておらず、(2)いずれかのウィジェットが、時間において、いかなる他のウィジェットの前または後に発生または作用することを示しておらず、(3)いずれかのウィジェットが、重要性または品質においても、いかなる他のウィジェットの上または下にランク付けされることを示していない。さらには、序数を単に使用しただけでは、序数により識別される特徴に対する数値的な限定を規定していない。たとえば、「ウィジェット」という用語の前に序数「第1の」および「第2の」を単に使用しただけでは、ウィジェットが2つ以下でなければならないことを示していない。
【００４３】
単一のデバイス、構成要素、構造体、または物品が本明細書に記載されるとき、複数のデバイス、構成要素、構造体、または物品が(それらが協働しているか否かにかかわらず)、代替として、説明されている単一のデバイス、構成要素、または物品の代わりに使用され得る。したがって、デバイスによって所有されていると記載されている機能は、代替として、複数のデバイス、構成要素、または物品によって(それらが協働しているか否かにかかわらず)所有され得る。
【００４４】
同様に、複数のデバイス、構成要素、構造体、または物品が本明細書に記載される場合(それらが協働しているか否かにかかわらず)、代替として、単一のデバイス、構成要素、構造体、または物品が、記載されている複数のデバイス、構成要素、構造体、または物品の代わりに使用され得る。たとえば、複数のコンピュータベースのデバイスを、単一のコンピュータベースのデバイスと置き換えてもよい。したがって、複数のデバイス、構成要素、構造体、または物品によって所有されるものとして説明されている様々な機能は、代替として、単一のデバイス、構成要素、構造体、または物品によって所有され得る。
【００４５】
説明されている単一のデバイスの機能および/または特徴は、代替として、説明されてはいるがそのような機能および/または特徴を有するものとしては明示的に説明されていない1つまたは複数の他のデバイスによって具現化され得る。したがって、他の実施形態は、説明したデバイス自体を含む必要はなく、むしろそれらの他の実施形態においては、そのような機能/特徴を有することになる1つまたは複数の他のデバイスを含んでもよい。
【００４６】
互いに通信しているデバイスは、別段の明記がない限り、互いに連続的に通信している必要はない。それどころか、そのようなデバイスは、必要に応じてまたは所望に応じて、互いに伝送する必要があるだけであり、実際には、大抵の場合、データの交換を控える場合がある。たとえば、インターネットを介して別の機械と通信している機械は、一度に数週間にわたって、他の機械にデータを送信しない場合もある。さらには、互いに通信しているデバイスは、直接的に通信しても、あるいは1つまたは複数の媒介を通して間接的に通信してもよい。
【００４７】
いくつかの構成要素または特徴を有する実施形態についての説明は、そのような構成要素および/または特徴のうちのすべてまたはいずれかを必要としていることを意味するものではない。それどころか、多様なオプションの構成要素について、本発明の幅広い多様な可能な実施形態を例示するために説明している。別段の明記がない限り、必須または必要である構成要素および/または機能はない。
【００４８】
さらには、プロセスステップ、またはアルゴリズムなどは、逐次的順序で説明され得るが、そのようなプロセスは、異なる順序で機能するように構成され得る。言い換えれば、明示的に説明され得るステップの任意のシーケンスまたは順序は、ステップがその順序で実行されるという要件を必ずしも示しているわけではない。本明細書に記載のプロセスのステップは、実用的な任意の順序で行うことができる。さらには、いくつかのステップは、(たとえば、1つのステップが他のステップの後に説明されているので)同時に行われてないように説明または示唆されているにもかかわらず、同時に行うことができる。その上、図面におけるその描写によるプロセスの例示は、例示されたプロセスが他の変形形態およびそれに対する修正形態を排除することを意味しておらず、例示のプロセスまたはそのステップのうちのいずれかが本発明にとって必要であることも、また例示の方法が好ましいことも意味していない。
【００４９】
プロセスは複数のステップを含んでいると説明することができるが、そのことは、ステップのうちのすべてまたはいずれかを必須または必要とすることを示していない。本発明の範囲内の他の様々な実施形態は、記載のステップのうちのいくつかまたはすべてを省略する他のプロセスを含む。別段の明記がない限り、必須または必要であるステップはない。
【００５０】
製品は、複数の構成要素、アスペクト、品質、特性および/または特徴を含んでいると説明することができるが、そのことは、複数のうちのすべてを必須または必要とすることを示していない。本発明の範囲内の他の様々な実施形態は、記載の複数のうちのいくつかまたはすべてを省略する他の製品を含む。
【００５１】
列挙された項目リストは(番号付けされている場合も、番号付けされていない場合もある)、別段の明記がない限り、項目のうちのいずれかまたはすべてが相互に排他的であることを意味していない。同様に、列挙された項目リストは(番号付けされている場合も、番号付けされていない場合もある)、別段の明記がない限り、項目のうちのいずれかまたはすべてが任意のカテゴリを包括することを意味していない。たとえば、列挙されたリスト「コンピュータ、ラップトップ、PDA(a computer, a laptop, a PDA)」は、そのリストの3つの項目のうちのいずれかまたはすべてが相互に排他的であることを意味しておらず、そのリストの3つの項目のうちのいずれかまたはすべてが任意のカテゴリを包括することを意味していない。
【００５２】
本開示において提供されるセクションの見出しは、便宜上のものにすぎず、いかなる形にも本開示を限定するものとして解釈すべきではない。
【００５３】
何かを「決定すること(determining)」は、様々な方式で行うことができ、そのため、「決定すること」という用語(および同様の用語)は、計算すること、コンピューティング計算すること、導出すること、検索すること(たとえば、テーブル、データベースまたはデータ構造において)、確認すること、および認識することなどを含む。
【００５４】
本明細書において使用されるその用語としての「ディスプレイ(display)」は、情報を視聴者に伝える領域である。情報は動的であってよく、その場合、LCD、LED、CRT、デジタル光処理(DLP:Digital Light Processing)、背面投影、または前面投影などがディスプレイを形成するために使用されてもよい。
【００５５】
本開示は、「制御システム(control system)」、アプリケーション、またはプログラムを指すことがある。制御システム、アプリケーション、またはプログラムは、その用語が本明細書において使用されているとき、オペレーティングシステム、デバイスドライバ、および制御システムに説明されている機能を提供するための命令を含む適切なプログラム(総称して「ソフトウェア(software)」)と結合されたコンピュータプロセッサとすることができる。ソフトウェアは、関連のメモリデバイス(時として、コンピュータ可読媒体と呼ばれる)に記憶されている。適切にプログラミングされた汎用コンピュータまたはコンピューティングデバイスを使用され得ることが企図されるが、ハードワイヤードの回路機構またはカスタムハードウェア(たとえば、特定用途向け集積回路(ASIC))が、様々な実施形態のプロセスを実装するためのソフトウェア命令の代わりに、またはソフトウェア命令との組合せで使用され得ることも企図される。したがって、実施形態は、ハードウェアとソフトウェアとのいずれの特定の組合せにも限定されない。
【００５６】
「プロセッサ(processor)」とは、任意の1つまたは複数のマイクロプロセッサ、中央処理装置(CPU)デバイス、コンピューティングデバイス、マイクロコントローラ、デジタルシグナルプロセッサ、または同様のデバイスを意味する。例示的なプロセッサは、IntelのPENTIUM(登録商標)プロセッサまたはAMDのATHLONプロセッサである。
【００５７】
本明細書において記載された様々な方法およびアルゴリズムが制御システムによって実装され得、ならびに/またはソフトウェアの命令が本発明において記載された方法およびアルゴリズムのプロセスを実行するように設計され得ることは容易に明らかであろう。
【００５８】
本明細書に記載の様々な方法およびアルゴリズムは、たとえば適切にプログラミングされた汎用コンピュータおよびコンピューティングデバイスによって実装され得ることは容易に明らかであろう。通常、プロセッサ(たとえば、1つまたは複数のマイクロプロセッサ)は、メモリまたは同様のデバイスから命令を受け取り、それらの命令を実行し、それによってそれらの命令によって定義される1つまたはプロセスを行うことになる。さらには、そのような方法およびアルゴリズムを実装するプログラムは、様々な媒体(たとえば、コンピュータ可読媒体)を使用していくつかの方式で記憶され、伝送され得る。いくつかの実施形態では、ハードワイヤードの回路機構またはカスタムハードウェアは、様々な実施形態のプロセスを実装するためのソフトウェア命令の代わりに、またはソフトウェア命令との組合せで使用され得る。したがって、実施形態は、ハードウェアとソフトウェアとの任意の特定の組合せにも限定されない。したがって、プロセスの説明では、同様に、プロセスを実行するための少なくとも1つの装置について説明し、同様に、プロセスを実行するための少なくとも1つのコンピュータ可読媒体および/またはメモリについて説明している。プロセスを実行する装置は、プロセスを実行するのに適切な構成要素およびデバイス(たとえば、プロセッサ、入力デバイスおよび出力デバイス)を含むことができる。コンピュータ可読媒体は、方法を実行するのに適切なプログラム要素を記憶することができる。
【００５９】
本開示は、本発明のいくつかの実施形態の実現的な説明を当業者に提供する。これらの実施形態のうちのいくつかは、本明細書において特許請求されない場合があるが、それにもかかわらず、本出願の優先権の利益を主張する1つまたは複数の継続出願において特許請求され得る。出願人は、開示され実現可能にはなっているが本明細書においては特許請求されていない主題について特許を追求するために追加の出願を提出することを意図し得る。
【００６０】
前述の説明では、本発明の例示的な実施形態のみ開示している。本発明の範囲内に入る上記に開示された装置および方法の修正形態は、当業者には容易に明らかであろう。たとえば、上述の例は、健康管理および/または電子機器市場について説明されているが、本発明の実施形態は、他の市場について実装され得る。
【００６１】
したがって、本発明は、その例示的な実施形態に関連して開示されているが、他の実施形態が、添付の特許請求の範囲によって定義されるように、本発明の範囲内に入ることができることを理解すべきである。
【符号の説明】
【００６２】
100  システム
102  血中グルコース計
104  入力ボタン
106  ポート
108  血中グルコースセンサストリップ
110  ディスプレイ画面、ディスプレイ
112  縁部分
200  ディスプレイレンズ
202  光源
204  縁部
206  側縁部
208  前面表面
210  裏表面
500  ディスプレイレンズ
502  前面
504  左側縁部分
506  上部縁部分
508  右側縁部分
510  底部側縁部
512  左側縁部
514  左側縁部
516  右側縁部
518  上部側縁部
700  ディスプレイレンズ
702  前面
704  左側縁部分
706  上部縁部分
708  右側縁部分
710  底部側縁部
710A  上側部分
710B  下側部分
712  左側縁部
714  左側縁部
716  右側縁部
718  上部側縁部
720  底部縁部分
722  内部接合表面
900  方法
l  長さ
t  レンズ厚
α  角度
β  角度
ε  角度
θ  角度
φ  角度
【図１】
2020518941.tif 000005
【図２】
2020518941.tif 000006
【図３】
2020518941.tif 000007
【図４】
2020518941.tif 000008
【図５Ａ】
2020518941.tif 000009
【図５Ｂ】
2020518941.tif 000010
【図５Ｃ】
2020518941.tif 000011
【図６】
2020518941.tif 000012
【図７Ａ】
2020518941.tif 000013
【図７Ｂ】
2020518941.tif 000014
【図７Ｃ】
2020518941.tif 000015
【図８】
2020518941.tif 000016
【図９】
2020518941.tif 000017
【国際調査報告】
2020518941.tif 000018
2020518941.tif 000019